(57)【要約】【課題】微小アスベスト繊維など、極めて微粒の塵埃を確実に捕捉することができ、しかも迅速に捕捉することができる消塵器を提供すること。【解決手段】浮遊する塵埃を捕捉するための液剤が収容された液剤ボンベ１０と、当該液剤ボンベ１０から液剤を送出する液供給管１１と、加圧されたガスが収容されたガスボンベ１２と、当該ガスボンベ１２からガスを送出するガス供給管１３と、各容器１０，１２から送り出された液剤およびガスが送込まれる混合器２０と、当該混合器２０で混合された混合流体を噴出する噴出部３０と、前記混合器２０への液剤およびガスの供給を実行し、または停止させる供給管の一次弁４１と、台車とを備えている消塵器である。【選択図】図１
2008104911.tif 000002
【特許請求の範囲】
【請求項１】
浮遊物質を捕捉するための液剤が収容された液剤容器と、当該液剤容器から液剤を送出する液供給管と、加圧されたガスが収容されたガス容器と、当該ガス容器からガスを送出するガス供給管と、各容器から送り出された液剤およびガスが送込まれる混合器と、当該混合器で混合された混合流体を噴出する噴出部と、前記混合器への液剤およびガスの供給を実行し、または停止させる供給管の開閉体と、当該開閉体の操作レバーとを備えていることを特徴とする消塵器。
【請求項２】
前記ガス供給管は、ガス容器に接続されたガス供給管の本管と、当該本管に送り出されたガスを前記噴出部に送る第１分岐管と、前記ガス容器から送り出されたガスを前記液剤容器に送る第２分岐管と、を備えており、
前記開閉体は、前記ガス供給管の本管の位置に設置されている、請求項１に記載の消塵器。
【請求項３】
前記液剤は水であり、前記ガスは空気であり、前記噴出部は、前記混合流体を噴出させる噴出口に、前記混合流体を拡散状態で噴霧するノズルを備えている、請求項１または請求項２に記載の消塵器。
【発明の詳細な説明】
【技術分野】
【０００１】
本発明は、浮遊する塵埃を捕捉する消塵器に関し、特に、液体を含む流体を噴霧させて浮遊物質を捕捉するものに関する。
【背景技術】
【０００２】
たとえば、建造物解体現場、廃棄物処理場あるいは微粉末取扱現場など、微粉塵等が浮遊する開放された屋外において、界面活性剤等を含む薬液水溶液を微粉塵等に対して噴霧することで微粉塵等を捕集するシステムがある。
【特許文献１】特開２００３−２５１１３１号公報
【発明の開示】
【発明が解決しようとする課題】
【０００３】
ところで、従来の微粉塵捕集システムは、薬液水溶液を広範囲に吹き付けることができるものであるが、大掛かりなものである。したがって、粉塵が発生したときに、粉塵が発生した範囲に、迅速かつ集中的に薬液を噴霧して粉塵を捕捉するということが難しい。
【０００４】
また、従来の微粉塵捕集システムでは、薬液を噴霧することによって、建造物解体現場等に浮遊する微粉塵等を捕捉することはできるが、より微粒の物質、たとえば、微小アスベスト繊維などの浮遊物質を捕捉することが難しい。
【０００５】
本発明は、このような問題点に鑑みてなされたものであり、微小アスベスト繊維など、極めて微粒の塵埃などの浮遊物質を確実に捕捉することができ、しかも迅速に捕捉することができる消塵器を提供することを課題とする。
【課題を解決するための手段】
【０００６】
請求項１に記載の発明は、浮遊物質を捕捉するための液剤が収容された液剤容器と、当該液剤容器から液剤を送出する液供給管と、加圧されたガスが収容されたガス容器と、当該ガス容器からガスを送出するガス供給管と、各容器から送り出された液剤およびガスが送込まれる混合器と、当該混合器で混合された混合流体を噴出する噴出部と、前記混合器への液剤およびガスの供給を実行し、または停止させる供給管の開閉体と、当該開閉体の操作レバーとを備えていることを特徴とする消塵器である。
【０００７】
請求項２に記載の発明は、請求項１に記載の消塵器であって、前記ガス供給管は、ガス容器に接続されたガス供給管の本管と、当該本管に送り出されたガスを前記噴出部に送る第１分岐管と、前記ガス容器から送り出されたガスを前記液剤容器に送る第２分岐管と、を備えており、前記開閉体は、前記ガス供給管の本管の位置に設置されているものである。
【０００８】
また、請求項３に記載の発明は、請求項１または請求項２に記載の消塵器であって、前記液剤は水であり、前記ガスは空気であり、前記噴出部は、前記混合流体を噴出させる噴出口に、前記混合流体を拡散状態で噴霧するノズルを備えているものである。
【発明の効果】
【０００９】
請求項１に記載の発明に係る消塵器では、空気などの気体中の浮遊物質を捕捉するための液剤を噴出部から単に噴出させるのではなく、液剤を加圧されたガスと混合させた状態で噴出部から噴出させる。このように、液剤を加圧されたガスと混合させた状態で噴出させると、液剤を極めて細かい微粒子からなる霧状にして噴霧することができ、浮遊物質を確実に捕捉することができる。また、操作レバーを操作して開閉体を開くことによって、簡単に液剤を噴霧させることができるので、迅速に浮遊物質を捕捉することができる。
【００１０】
ここで、浮遊物質とは、たとえば、粉塵などの塵埃や塵煙などを挙げることができる。そして、このような物質のより具体的な例としては、たとえば、微小アスベスト繊維などの極めて細かい塵埃や、燃焼や燻煙などにより生ずる煙などのガス状の化学物質などを挙げることができる。なお、煙などの浮遊物質はあたかも気体のような挙動を示すものであり、このような浮遊物質は、捕捉された後、地上等の床面に沈降するというよりも空気中で中和するように消塵されるということもできる。
【００１１】
請求項２に記載の発明は、請求項１に記載の消塵器であって、前記ガス供給管は、ガス容器に接続されたガス供給管の本管と、当該本管に送り出されたガスを前記噴出部に送る第１分岐管と、前記ガス容器から送り出されたガスを前記液剤容器に送る第２分岐管とを備えるものである。したがって、ガス容器からガスが送り出されるようにすると、送り出されたガスは、一部が第１分岐管を経て混合器に送られる。また、ガス容器から送り出されたガスの他の一部は、第２分岐管を経て液剤容器に送られ、これにより、液剤容器内の液剤が液供給管を経て混合器に送られる。このように、本発明によれば、ガス供給管に設置された開閉体を開閉させるだけで簡単に、ガスおよび液剤の両方の混合器への供給を実行し、または停止させることができる。
【００１２】
請求項３に記載の発明に係る消塵器では、液剤は水であり、ガスは空気である。つまり、本発明によれば、入手容易な液体および気体によって迅速に微小アスベスト繊維などの極めて細かい塵埃を捕捉することができる。また、自然界に存在する水や空気を用いる本発明に係る消塵器は、環境負荷が極めて小さい装置である。さらに、噴出部の噴出口に、前記混合流体を拡散状態で噴霧するノズルを備えているので、本発明に係る消塵器によれば、混合流体が迅速に広範囲に噴霧され、浮遊しているアスベスト繊維などの塵埃がより迅速かつより確実に捕捉される。
【発明を実施するための最良の形態】
【００１３】
以下、本発明の実施形態に係る消塵器について図面を用いて詳細に説明する。
【００１４】
図１および図２に示されるように、消塵器１は、浮遊する塵埃を捕捉するための液剤が収容された液剤ボンベ（液剤容器）１０と、当該液剤ボンベ１０から液剤を送出する液供給管１１と、加圧されたガスが収容されたガスボンベ（ガス容器）１２と、当該ガス容器１２からガスを送出するガス供給管１３と、各容器１０，１２から送り出された液剤およびガスが送込まれる混合器２０と、当該混合器２０で混合された混合流体を噴出する噴出部３０と、前記混合器２０への液剤およびガスの供給を実行し、または停止させる供給管１３の一次弁（開閉体）４１と、液剤ボンベ１０やガスボンベ１２が搭載された台車部５０とを備えている。
【００１５】
液剤ボンベ１０は、いわゆる圧力ボンベであり、液剤ボンベ１０内には、塵埃を捕捉するための液剤である水（約３リットル）が充填されている。そして、液剤ボンベ１０内には、液供給管１１の一端と、後述する第２分岐管１３ｃの他端が挿入されている。液供給管１１は、挿入された一端が液剤ボンベ１０の底部近傍に達している。また、第２分岐管１３ｃは、液剤ボンベ１０内に高圧ガスを供給するものである。したがって、第２分岐管１３ｃによって液剤ボンベ１０内に高圧ガスが充填されると、充填された高圧ガスに押されて液剤ボンベ１０内の水が液供給管１１によって混合器２０に送り出される。
【００１６】
ガスボンベ１２は、いわゆる高圧容器であり、ガスボンベ１２内には、高圧（約１５ＭＰａ）のガスである高圧空気が充填されている。そして、ガスボンベ１２内には、ガス供給管１３の本管１３ａの一端側が挿入されている。このガス供給管１３は、他端側が二つに分岐されており、一方の分岐管である第１分岐管１３ｂは、その他端が混合器に接続されており、他方の分岐管である第２分岐管１３ｃは、その他端が液剤ボンベに挿入されている。したがって、ガスボンベ１２から送出された高圧ガスは、分岐点１３ｄで分岐され、第１分岐管１３ｂ側に送られた高圧ガスは、混合器へと送られる。また、第２分岐管１３ｃ側に送られた高圧ガスは、液剤ボンベ１０内に充填される。これにより、液剤ボンベ１０内の水が液供給管１１によって混合器２０へと送られる。
【００１７】
そして、ガス供給管１３には、ガスボンベ１２寄りである上流位置に配置された一次弁４１と、一次弁４１の下流側に配置された一次減圧弁４２と、一次減圧弁４２の下流側に配置された安全弁４３とが設置されている。また、ガス供給管１３の第１分岐管１３ｂおよび第２分岐管１３ｃには、それぞれ、調圧弁４４，４５が設置されている。一次弁４１は、ガスボンベ１２の開閉手段としても機能するものであり、一次減圧弁４２は、ガスボンベ１２から送り出された高圧ガスを減圧するものである。本実施形態の消塵器１で用いられている一次減圧弁４２は、ガスボンベ１２から送り出された高圧ガスの圧力を約１ＭＰａに減圧するものである。
【００１８】
混合器２０は、液供給管１１の下流位置に設置された水ボール弁２１と、ガス供給管１３の第１分岐管１３ｂの下流位置に設置された空気ボール弁２２と、水ボール弁２１を通過した液剤である水と空気ボール弁２２を通過したガスである空気とが混合される混合部２３とを備えている。
【００１９】
水ボール弁２１および空気ボール弁２２は、いずれも、弁の開閉状態の調節が可能なものであり、水ボール弁２１には、当該水ボール弁２１を開閉させるための液操作レバー２１ａが取り付けられており、空気ボール弁２２には、当該空気ボール弁２２を開閉させるためのガス操作レバー２２ａが取り付けられている。したがって、一次弁４１等の上流側の弁を開いた状態で液操作レバー２１ａおよびガス操作レバー２２ａを操作して、水ボール弁２１および空気ボール弁２２を開くと、水および空気が混合部２３に送られて、水と空気の混合流体が生成される。そして、混合部２３で生成された混合流体は、混合器２０に接続された噴出部３０に送出口（不図示）を介して送り出される。
【００２０】
そして、操作レバー２１ａ，２２ａによって各ボール弁２１，２２の開閉状態を調節することで、水の噴出量や空気の噴出量を調節できるようになっており、所望量の水および空気を混合することができるようになっている。なお、本実施形態の水ボール弁２１および空気ボール弁２２は、いずれも、手動にて弁の開閉状態を調節できるものであるが、電動で調節するものでもよい。
【００２１】
そして、混合器２０には、混合流体を噴出させるノズルチップ３１を備えた噴出部３０が接続されており、混合器２０の混合部２３で混合された混合流体は、噴出部３０のノズルチップ３１から外界へと噴出される。噴出部３０のノズルチップ３１は、噴霧用のノズルであり、混合流体を広範囲に噴霧できるものである。
【００２２】
このように、液剤である水と気体とを混合させた状態で液剤を噴出部３０から噴出させるようにすると、より容易かつより確実に液剤である水を広範囲に噴霧させることができる。そして、混合流体が生成される混合器２０の直下流部に噴出部３０を設けると、より容易かつより確実に液剤を噴霧させることができる。また、噴出部３０のノズルチップ３１は、噴霧用のノズルであるので、混合流体を広範囲に噴霧できる。
【００２３】
台車部５０は、載置された液剤ボンベ１０やガスボンベ１２を保持する台車本体５１と、台車本体５１の下部に回転自在に設置された一対のタイヤ５２と、台車本体５１を所定位置に位置させるための一対の脚部５３と、消塵器を移動させるときにつかむグリップ部５４とを備えている。
【００２４】
なお、液供給管１１およびガス供給管の第１分岐管１３ｂは、途中の部分がコイルチューブＴで構成されており、液剤ボンベ１０やガスボンベ１２が搭載された台車部５０を所定の位置においた状態で、台車部５０から離れた位置で混合流体を噴出部３０から噴出させることができる。また、液供給管１１およびガス供給管の第１分岐管１３ｂのうち、水ボール弁２１の液操作レバー２１ａや空気ボール弁２２のガス操作レバー２２ａが取り付けられている位置は、アルミ合金など金属製になっており、把持部２４が取り付けられている。したがって、噴出方向を正確、迅速かつ簡単に定めることができる。
【００２５】
次に、消塵器の動作について説明する。
【００２６】
消塵器１を使用する者は、まず、捕捉したい浮遊物質が浮遊している場所まで、消塵器１を移動させる。本実施形態の消塵器１は、台車５０に載置されているので、所望の位置に簡単に移動させることができる。
【００２７】
消塵器１を所望の位置まで移動させると、水ボール弁２１および空気ボール弁２２を閉じた状態で、これらの弁よりも上流の一次弁４１などの弁を開く。そして、この状態で、把持部２４を握って、ノズルを噴霧したい方向に向けて、液操作レバー２１ａおよびガス操作レバー２２ａを操作して、水ボール弁２１および空気ボール弁２２を開く。
【００２８】
すると、ガスボンベ１２内の高圧ガスが一次弁４１を通過してガス供給管１３の本管１３ａに送出される。ガス供給管１３ａの本管１３ａに送り出された高圧空気は、一次減圧弁４２を通過することで、約１ＭＰａに減圧される。そして、分岐点１３ｄを通過して第１分岐管１３ｂ側に送られた空気は、第１調圧弁４４を経て、混合器２０に送られる。混合器２０に送られる空気は、第１調圧弁４４を通過したときに約０．４ＭＰａに減圧されたものである。
【００２９】
また、第２分岐管１３ｃ側に送られた空気は、第２調圧弁４５を経て、液剤ボンベ１０内に送られる。液剤ボンベ１０に送られる空気は、第２調圧弁４５を通過したときに約０．４ＭＰａに減圧されたものである。液剤ボンベ１０内に空気が送込まれると、液剤ボンベ１０内が昇圧し、液剤ボンベ１０内の水が液供給管１１に送出される。そして、液供給管１１に送り出された水は、混合器２０に送られる。
【００３０】
混合器２０に送られた水は、水ボール弁２１を経て、混合器２０の混合部２３に送られ、混合器２０に送られた空気は、空気ボール弁２２を経て混合器２０の混合部２３に送られる。なお、水ボール弁２１および空気ボール弁２２の弁開度は、液操作レバー２１ａおよびガス操作レバー２２ａによって簡単に調節することができる。そして、混合器２０の混合部２３で、水と空気とからなる混合流体が生成される。そして、生成された混合流体は、混合器２０の送出口から噴出部３０に送り出され、噴出部３０のノズルチップ３１から広範囲に噴霧される。広範囲に噴霧することができれば、飛散したアスベスト繊維などの細かい繊維をより確実に捕捉することができる。
【００３１】
なお、本発明に係る実施形態は、上記実施形態に限られるものではなく、発明の趣旨を逸脱しない範囲で、種々改変されたものが含まれる。
【００３２】
たとえば、ガスボンベに充填するガスとしては、空気のほかに、不燃性、より具体的には窒素ガスなどの不活性ガスを挙げることができる。
【図面の簡単な説明】
【００３３】
【図１】本発明に係る消塵器の実施形態の構成を示す模式図である。
【図２】（ａ）は、本発明に係る消塵器の実施形態の一例を示す平面図であり、（ｂ）は正面図であり、（ｃ）は側面図である。
【符号の説明】
【００３４】
１  消塵器
１０  液剤ボンベ（液剤容器）
１１  液供給管
１２  ガスボンベ（ガス容器）
１３  ガス供給管
２０  混合器
２１  水ボール弁
２２  空気ボール弁
２３  混合部
３０  噴出部
３１  ノズルチップ
４１  一次弁（開閉体）
【図１】
2008104911.tif 000003
【図２】
2008104911.tif 000004